(57)【特許請求の範囲】
【請求項１】
第１伝送装置と第２伝送装置とを制御する制御装置において、
前記第１伝送装置と前記第２伝送装置との間に新規波長パスを設定する際に、前記第１伝送装置と前記第２伝送装置との間の少なくとも一部の伝送路を通過する既設波長パスの中から、監視波長パスを選ぶ監視波長パス選出部と、
前記監視波長パスの信号品質の下限値を算出する監視波長パス下限値算出部と、
前記監視波長パスの信号品質が、前記監視波長パス下限値算出部により算出された下限値以上であることを監視しながら、前記新規波長パスのパワーを上昇させる波長パス追加部と、
を備える、制御装置。
【請求項２】
前記波長パス追加部は、前記新規波長パスが複数のスパンに亘るとき、前記複数のスパンのそれぞれのスパンごとに、前記監視波長パスの信号品質を監視しながら、前記新規波長パスのパワーを徐々に上昇させる、請求項１に記載の制御装置。
【請求項３】
前記波長パス追加部は、前記監視波長パスの信号品質が前記監視波長パス下限値算出部により算出された下限値未満となる場合に、前記新規波長パスの設定を中止する、請求項１または２に記載の制御装置。
【請求項４】
前記波長パス追加部は、前記新規波長パスの複数のパワー値に対する前記監視波長パスの複数の信号品質を補間し、前記新規波長パスのパワーをさらに上昇させたときの前記監視波長パスの信号品質を予測する予測部を有する、請求項１から請求項３のいずれか１項に記載の制御装置。
【請求項５】
前記波長パス追加部は、前記予測部の予測に基づいて、前記新規波長パスのパワーの増加値を算出するパワー増加値算出部を有する、請求項４に記載の制御装置。
【請求項６】
前記監視波長パス下限値算出部は、前記新規波長パスの設定が完了した後に、別の波長パスが設定されることによる信号品質の低下量に基づいて、前記監視波長パスの信号品質の下限値を算出する請求項１から請求項５のいずれか１項に記載の制御装置。
【請求項７】
前記監視波長パス選出部が選ぶ前記監視波長パスは、前記新規波長パスと波長が隣接する、請求項１から請求項６のいずれか１項に記載の制御装置。
【請求項８】
前記監視波長パス選出部が選ぶ前記監視波長パスは、前記新規波長パスから非線形効果により信号品質に影響が及ぶ、請求項１から請求項６のいずれか１項に記載の制御装置。
【請求項９】
第１伝送装置と第２伝送装置とを制御する制御装置を備える光伝送システムであり、
前記制御装置は、
前記第１伝送装置と前記第２伝送装置との間に新規波長パスを設定する際に、前記第１伝送装置と前記第２伝送装置との間の少なくとも一部の伝送路を通過する既設波長パスの中から、監視波長パスを選ぶ監視波長パス選出部と、
前記監視波長パスの信号品質の下限値を算出する監視波長パス下限値算出部と、
前記監視波長パスの信号品質が、前記監視波長パス下限値算出部により算出された下限値以上であることを監視しながら、前記新規波長パスのパワーを上昇させる波長パス追加部と、
を備える、光伝送システム。
【請求項１０】
第１伝送装置と第２伝送装置との間に新規波長パスを設定する際に、前記第１伝送装置と前記第２伝送装置との間の少なくとも一部の伝送路を通過する既設波長パスの中から、監視波長パスを選び、
前記監視波長パスの信号品質の下限値を算出し、
前記監視波長パスの信号品質が、前記算出された下限値以上であることを監視しながら、前記新規波長パスのパワーを上昇させる、
光伝送システムの制御方法。
【発明の詳細な説明】
【技術分野】
【０００１】
開示は、制御装置、光伝送システムおよび光伝送システムの制御方法に関する。
【背景技術】
【０００２】
従来、光ネットワークにおいては、中心波長およびスロット幅が固定である固定グリッド光ネットワークが使用されている。また、光ネットワークの構成に使用される機器は単一のベンダの機器であることが多い。このため、ネットワークの状況が容易に把握でき、また、隣接波長パス間には、十分な波長軸上のマージンを確保することができる。したがって、従来の光ネットワークにおいて、新規に波長パスを設定する際には、既設の波長パスへの影響を考えずに新規の波長パスを設定し、導通（伝送確認）を行なえば十分である。
【０００３】
一方、従来の固定グリッド光ネットワークに代え、中心波長およびスロット幅を柔軟に選択することにより波長資源の有効活用を目指すフレキシブルグリッド光ネットワーク（エラスティック光ネットワーク）が採用されつつある。フレキシブルグリッド光ネットワークにおいては、ネットワーク費用（ＣＡＰＥＸ（Ｃａｐｉｔａｌ  Ｅｘｐｅｎｄｉｔｕｒｅ））の削減のために複数のベンダの機器を混在させて使用したり、波長パスごとに異なる変調方式を活用したりすることが予想される。このため、異なるベンダの機器の混在によりネットワークの状況の把握が困難になったり、最小限の伝送ペナルティマージンで波長パスが設定されたりする。
【０００４】
また、Ｓｏｆｔｗａｒｅ  Ｄｅｆｉｎｅｄ  Ｎｅｔｗｏｒｋの導入によって波長パスを動的に設定したり解除したりすることが繰り返され、いわゆる虫食い状に波長パスが使用される状況を解消するために、波長デフラグメンテーションの必要性が高まっている。
【先行技術文献】
【特許文献】
【０００５】
【特許文献１】特表２０１４−５０８４２９号公報
【発明の概要】
【発明が解決しようとする課題】
【０００６】
上述のようなフレキシブルグリッド光ネットワークの特性により、新規に波長パスを設定しようとすると、既設の波長パスに悪影響を及ぼす可能性が、固定グリッド光ネットワークを使用しているときよりも増えることが予想される。例えば、隣接波長パスの伝送マージンが想定以下に悪化していることの検出が困難となり、この結果、予期しないタイミングで波長パスが伝送不可となることがあり得る。このような伝送不可となる原因は、他の障害要因（例えばトランスポンダの障害や受信障害）との切り分けが困難である。
【０００７】
以上に鑑み、既設の波長パスの伝送特性に与える影響を小さくして、新規波長パスの設定を行なうことを含む開示を行なう。
【課題を解決するための手段】
【０００８】
一実施形態において、制御装置は、第１伝送装置と第２伝送装置とを制御する。制御装置は、監視波長パス選出部と、監視波長パス下限値算出部と、波長パス追加部と、を備える。監視波長パス選出部は、第１伝送装置と第２伝送装置との間に新規波長パスを設定する際に、第１伝送装置と第２伝送装置の間の少なくとも一部の伝送路を通過する既設波長パスの中から、監視波長パスを選ぶ。監視波長パス下限値算出部は、監視波長パスの信号品質の下限値を算出する。波長パス追加部は、監視波長パスの信号品質が、監視波長パス下限値算出部により算出された下限値以上であることを監視しながら、新規波長パスのパワーを上昇させる。
【発明の効果】
【０００９】
一側面によれば、既設の波長パスの伝送特性に与える影響を小さくし、新規波長パスの設定を行なうことが可能になる。
【図面の簡単な説明】
【００１０】
【図１】実施形態１に係る光伝送システムの全体構成図である。
【図２】実施形態１に係る光伝送システムの機能ブロック図である。
【図３】実施形態１に係る光伝送システムの制御装置の波長パスデータベースに格納されるデータの一例を示す図である。
【図４】図３に示す波長パスの経路を例示する図である。
【図５】実施形態１において、新規の波長パス（新規波長パス）を追加するための画面表示の一例を示す図である。
【図６】図４に示す一例から、新規の波長パスが追加された後の波長パスの一例を示す図である。
【図７】新規の波長パスを設定した後の各波長パスのノイズ限界量の一例を示す図である。
【図８】（Ａ）は新規の波長パスの設定のための処理のフローチャートであり、（Ｂ）は新規の波長パスの設定のための処理の別のフローチャートである。
【図９】新規の波長パスを設定する際に徐々に（段階的に）新規波長パスのパワーを上昇させることを示す図である。
【図１０】新規の波長パスのパスパワーの増大に伴って既設の波長パスに及ぶ影響を予測するグラフの一例を示す図である。
【図１１】実施形態１の変形例に係る光伝送システムの制御装置の機能ブロック図である。
【図１２】実施形態１の変形例に係る光伝送システムの制御装置の機能ブロック図である。
【図１３】実施形態２に係る光伝送システムの制御装置の機能ブロック図である。
【図１４】実施形態２において、新規の波長パスを追加するための画面表示の一例を示す図である。
【図１５】新規の波長パスを追加した後のノイズ限界量の算出の一例を示す図である。
【図１６】新規の波長パスを追加した後のノイズ限界量の算出の一例を示す図である。
【図１７】実施形態３に係る制御装置の機能ブロック図である。
【図１８】波長デフラグメンテーションの一例を示す図である。
【図１９】波長デフラグメンテーションの一例を示す図である。
【発明を実施するための形態】
【００１１】
以下、図面を参照して実施形態を説明する。ただし、以下に説明する実施形態は、あくまでも例示であり、以下に明示しない種々の変形や技術の適用を排除する意図はない。なお、以下の実施形態に用いる図面において、同一符号を付した部分は、特に断らない限り、同一または同様の部分を表わす。
【００１２】
（実施形態１）
図１は、実施形態１に係る光伝送システム１００の全体構成図である。光伝送システム１００は、ノードＡ（１０１）、Ｂ（１０２）、Ｃ（１０３）、Ｄ（１０４）、Ｅ（１０５）および制御装置１１０を備える。
【００１３】
ノードＡ（１０１）、Ｂ（１０２）、Ｃ（１０３）、Ｄ（１０４）およびＥ（１０５）のそれぞれは、光伝送中継装置（伝送装置）を備える。図１を参照すると、ノードＡ（１０１）とノードＢ（１０２）、ノードＢ（１０２）とノードＣ（１０３）、ノードＢ（１０２）とノードＤ（１０４）およびノードＤ（１０４）とノードＥ（１０５）のそれぞれが光伝送路により接続される。したがって、例えばノードＡ（１０１）の光伝送中継装置に接続されたトランスポンダに信号を入力して、ノードＢ（１０２）の光伝送中継装置に接続されたトランスポンダから信号が出力できる。このとき、ノードＡ（１０１）において光信号に変換がされ、当該光信号が光伝送路を経由してノードＢ（１０２）の光伝送中継装置に伝送される。
【００１４】
また、例えば、ノードＡ（１０１）からノードＤ（１０４）へ信号を送信するには、ノードＢ（１０２）を経由して光信号が伝送される。別言すれば、まず、ノードＡ（１０１）から光信号が光伝送路を介してノードＢ（１０２）に伝送される。その後、ノードＢ（１０２）において必要な増幅および方路の選択などが行なわれ、ノードＢ（１０２）からノードＤ（１０４）へ光信号が伝送路を介して伝送される。このとき、ノードＡ（１０１）からノードＢ（１０２）へ伝送される光信号の中心波長とノードＢ（１０２）からノードＤ（１０４）へ伝送される光信号の中心波長は等しくなる。ノード間で伝送される光信号の中心波長が等しくなることは、複数のノードを経由する場合も同様である。例えば、ノードＡ（１０１）からノードＥ（１０５）へ光信号がノードＢ（１０２）およびノードＤ（１０４）を経由して伝送されるときも、各ノード間で伝送される光信号の中心波長が等しい。
【００１５】
そこで、波長パスを、出発点となるノードと、経由点のノードがあれば当該ノードと、終点となるノードと、光信号の中心波長との組として特定してもよい。また、波長パスは、さらにスロット幅を含むとして特定してもよい（第２の特定）。別言すれば、第２の特定の仕方による波長パスは、出発点となるノードと、経由点のノードがあれば当該ノードと、終点となるノードと、光信号の中心波長と、スロット幅との組である。以下では、前者の特定の仕方を用いて説明するが、第２の特定の仕方を用いることもできるし、必要ならば他の特定の仕方を用いることもできる。
【００１６】
また、隣接する２ノード間の光伝送路を「スパン」という。例えば、ノードＡ（１０１）からノードＢ（１０２）を経由してノードＤ（１０４）までの経路を有する波長パスは、２つのスパンを有する。別言すれば、当該波長パスは、ノードＡ（１０１）からノードＢ（１０２）までのスパンおよびノードＢ（１０２）からノードＤ（１０４）までのスパンを有する。
【００１７】
制御装置１１０は、各ノードと接続され、各ノードと通信が可能であり、各ノードの光伝送中継装置を制御する。制御装置１１０は、各波長パスの光信号の送信パワー（パスパワーあるいは単にパワーという場合がある）の大きさの制御、各波長パスの光信号の信号品質の監視を行なう。信号品質は、ＢＥＲ（Ｂｉｔ  Ｅｒｒｏｒ  Ｒａｔｅ）や、ＯＳＮＲ（Ｏｐｔｉｃａｌ  Ｓｉｇｎａｌ−ｔｏ−Ｎｏｉｓｅ  Ｒａｔｉｏ）などにより測定することができる。以下では、説明を簡単にするために、信号品質を、ＢＥＲの測定により得られるノイズ量により表わす。
【００１８】
図２は、実施形態１に係る光伝送システム１００の機能ブロック図を示す。
【００１９】
ノードＡ（１０１）は、ＷＳＳ２０１と、ポストアンプ２０２を備え、ＷＳＳ２０１には、トランスポンダ２０４〜２０６が接続されたマルチプレクサ２０３が接続される。なお、ＷＳＳは、Ｗａｖｅｌｅｎｇｔｈ  Ｓｅｌｅｃｔｉｏｎ  Ｓｗｉｔｃｈの略である。ノードＡ（１０１）は、波長パスの始点になるノードである。
【００２０】
ノードＢ（１０２）は、ノードＡ（１０１）から伝送される光信号をノードＣ（１０３）およびノードＤ（１０４）に伝送可能なノードである。ノードＢ（１０２）は、ノードＡ（１０１）からの光信号を増幅するプリアンプ２０８を有し、プリアンプ２０８の出力光信号は、ＷＳＳ２０７に入力される。ＷＳＳ２０７には、光信号をアドしたりドロップしたりするためのトランスポンダ２１２が接続されたマルチプレクサ／デマルチプレクサ２１１が接続される。また、ＷＳＳ２０７には、光信号をノードＣ（１０３）およびノードＤ（１０４）に伝送するためのポストアンプ２０９および２１０が接続される。ノードＢ（１０２）は、波長パスの始点、終点および中継点のいずれにもなり得るノードである。
【００２１】
ノードＣ（１０３）は、ノードＢ（１０２）から伝送される光信号を増幅するプリアンプ２２８がＷＳＳ２２７に接続され、ＷＳＳ２２７は、トランスポンダ２３０および２３１が接続されたデマルチプレクサ２２９に接続される。ノードＣ（１０３）は波長パスの終点になるノードである。
【００２２】
ノードＤ（１０４）は、ノードＢ（１０２）から伝送される光信号をノードＥ（１０５）に伝送可能なノードである。ノードＤ（１０４）は、ノードＢ（１０２）からの光信号を増幅するプリアンプ２１４を有し、プリアンプ２１４の出力光信号は、ＷＳＳ２１３に入力される。ＷＳＳ２１３には、光信号をアドしたりドロップしたりするためのトランスポンダ２１７〜２２０が接続されたマルチプレクサ／デマルチプレクサ２１６が接続される。また、ＷＳＳ２１３には、光信号をノードＥ（１０５）に伝送するために、ポストアンプ２１５が接続される。ノードＤ（１０４）は、波長パスの始点、終点および中継点のいずれにもなり得るノードである。
【００２３】
ノードＥ（１０５）は、ノードＤ（１０４）から伝送される光信号を増幅するプリアンプ２２２が、ＷＳＳ２２１に接続され、ＷＳＳ２２１は、トランスポンダ２２４〜２２６が接続されたデマルチプレクサ２２３に接続される。ノードＥ（１０５）は波長パスの終点となるノードである。
【００２４】
なお、ノードＡ（１０１）〜ノードＥ（１０５）の数は５に限定されず任意であり、また、種々のトポロジーでのノードの接続があり得る。また、図１および図２においては、ノード間の光信号の伝送方向は一方向となることを想定しているが、双方向としてもよい。
【００２５】
制御装置１１０は、波長パスデータベース２３１と、新規波長パス受付部２３２と、新規波長パスノイズ限界算出部２３３と、監視波長パス選出部２３４と、監視波長パスノイズ限界算出部２３５と、波長パス追加部２３６とを有する。
【００２６】
波長パスデータベース２３１は、光伝送システム１００に現在、設定されている波長パス（既設波長パス）の情報を格納する。波長パスの情報は、光信号の中心波長、始点のノードの識別情報、必要な中継点のノードの識別情報および終点のノードの識別情報を含む。
【００２７】
図３は、波長パスデータベース２３１の格納する情報の一例を示す図である。「パス番号」は、波長パスを一意に識別するための識別情報を格納する列の名前であり、「波長」は、波長パスの光信号の中心波長の識別情報を格納する列の名前である。また、「パス」は、波長パスの始点のノードの識別情報、必要な中継点のノードの識別情報および終点のノードの識別情報を格納する列の名前である。
【００２８】
例えば、パス番号として「１」という識別情報を有する波長パスは、光信号の中心波長の識別情報が「３」であり、Ａ（１０１）を始点とし、中継点をＢ（１０２）およびＤ（１０４）とし、Ｅ（１０５）を終点とし、３スパンの長さを有する波長パスである。なお、光信号の中心波長の識別情報の代わりに、光信号の中心波長の値そのものを使用してもよい。
【００２９】
同様に、パス番号として「２」という識別情報を有する波長パスは、光信号の中心波長の識別情報が「５」であり、Ａ（１０１）を始点とし、中継点をＢ（１０２）とし、Ｃ（１０３）を終点とし、２スパンの長さを有する波長パスである。
【００３０】
同様に、パス番号として「３」という識別情報を有する波長パスは、光信号の中心波長の識別情報が「５」であり、Ｄ（１０４）を始点とし、Ｅ（１０５）を終点とし、１スパンの長さを有する波長パスである。
【００３１】
以降において、パス番号として「１」という識別情報を有する波長パスを波長パス１と呼称する。同様に、「２」という識別情報を有する波長パスを波長パス２と呼称し、「３」という識別情報を有する波長パスを波長パス３と呼称する。
【００３２】
図４は、図３に示す波長パスの経路を例示する図である。図４の実線４０１は、波長パス１を表わす。同様に、図４の一点鎖線４０２は、波長パス２を表わし、図４の一点鎖線４０３は、波長パス３を表わす。
【００３３】
以下では、波長パス１〜３がすでに設定されている状態で、光信号の中心波長の識別情報が「４」の波長パスを新規に設定する例を用いて制御装置１１０の説明を行なう。光信号の中心波長の識別情報が「４」の波長パスは、始点をＡ（１０１）、中継点をＢ（１０２）およびＤ（１０４）、終点をＥ（１０５）とする波長パスである。なお、識別情報として「４」を有する光信号の中心波長は、識別情報として「３」を有する光信号の中心波長と識別情報として「５」を有する光信号の中心波長との間の波長を有するとする。別言すれば、光信号の中心波長の識別情報の値の大きさの順序にしたがって、光信号の中心波長の大きさの順序が定まるとする。
【００３４】
図２に戻り説明を続ける。新規波長パス受付部２３２は、新規に設定する波長パスの情報を受け付ける。例えば、新規波長パス受付部２３２は、ディスプレイとキーボードなどの入出力装置に入力された波長パスを表わす情報を受け付ける。あるいは、波長パスを表わす情報を記述したファイルから情報を受け付けるようにしてもよい。
【００３５】
図５は、新規に設定する波長パスの情報が新規波長パス受付部２３２により受け付けられ、画面などに表示された状態の一例を示す。光信号の中心波長の識別情報が「４」であり、パスを表わす情報として、始点をＡとし、中継点をＢおよびＤとし、終点をＥとする情報が表示されている。
【００３６】
図６は、波長パス１〜３がすでに設定されている図４の状態から、図５に情報が示される波長パスを新規に設定した後の状態とした場合の波長パスを具体的に示す図である。新規に設定される波長パスが点線６０１により示されている。上述のように点線６０１に対応する波長パスの光信号の中心波長の識別情報である「４」の光信号の中心波長は、識別情報として「３」を有する光信号の中心波長と識別情報として５を有する光信号の中心波長との間である。このため、図６では、Ａ（１０１）とＢ（１０２）とのスパンにおいて実線４０１と一点鎖線４０２との間に点線６０１が配置され、Ｄ（１０４）とＥ（１０５）とのスパンにおいて実線４０１と一点鎖線４０３との間に点線６０１が配置されている。
【００３７】
再び図２に戻り説明を続ける。新規波長パスノイズ限界算出部２３３は、新規波長パス受付部２３２により受け付けられた情報に基づき新規に設定される波長パス（以下、当該波長パスを「波長パスＮ」と呼称する。）のノイズ限界量を算出する。新規波長パスノイズ限界算出部２３３は、波長パスＮが設定された後に、さらに別の波長パスが新規に設定される場合、当該別の波長パスが波長パスＮに影響を与えても波長パスＮの伝送が不可能とならない波長パスＮのノイズ量（ノイズ限界量）を算出する。
【００３８】
新規波長パスノイズ限界算出部２３３の算出するノイズ限界量は、通信品質の下限値を表わす。したがって、新規波長パスノイズ限界算出部２３３を、新規波長パス下限値算出部と呼称する場合がある。
【００３９】
別の波長パスが波長パスＮに影響を与える場合としては、別の波長パスと波長パスＮとのそれぞれの光信号の中心波長が隣接する場合がある。また、別の波長パスが波長パスＮに影響を与える場合としては、相互位相変調やイントラチャネル四光波混合、誘導ラマン散乱などの非線形効果によるものがある。以下では、説明を簡単にするために、光信号の中心波長が隣接する場合について説明するが、非線形効果によるものについても同様に説明することができる。
【００４０】
波長パスＮを設定した後に、別の波長パスが、光信号の中心波長が隣接するように設定される可能性がある場合には、当該別の波長パスが波長パスＮに与える影響を考慮して波長パスＮを設定する必要がある。例えば、波長パスＮの設定の後に、波長パスＮの光信号の中心波長に隣接する波長パスが新規に設定され波長パスＮに影響が及び、波長パスＮのノイズ量の増加量が「ｑ」となることを仮定する。このとき、波長パスＮを設定した後の波長パスＮのノイズ量は、光伝送が可能になる最大のノイズ量（以下において、ノイズ量限界（最終値）と呼称する場合がある。）からｑを減じた量以下となっている必要がある。
【００４１】
図３〜図６を参照すると、図３に示す波長パスが設定されている状態から図５に示す波長パスＮが新規に設定された後に、Ｂ（１０２）とＤ（１０４）との間のスパンにおいて識別情報が「５」の光信号の中心波長が設定されると、波長パスＮに影響が及ぶ可能性がある。したがって、波長パスＮが新規に設定される場合には、ノイズ限界量は、ノイズ量限界（最終値）からｑを減じた量となる。
【００４２】
別の定式化を行なうとすると次のようになる。波長パスＮの経路上のスパン「ｓ」における空き指標ＶＮ、ｓを、波長パスＮを設定した後に設定されることにより、波長パスＮの通信品質の低下をもたらすことになる波長パスの数とする。例えば、ＶＮ、Ａ→Ｂは、０であり、ＶＮ、Ｂ→Ｄは、１であり、ＶＮ、Ｄ→Ｅは、０である。次に波長パスＮの空き指標ＶＮを、波長パスＮの経路上のスパンｓについてのＶＮ、ｓの総和であるとする。例えばＶＮ＝ＶＮ、Ａ→Ｂ＋ＶＮ、Ｂ→Ｄ＋ＶＮ、Ｄ→Ｅ＝０＋１＋０＝１である。したがって、波長パスＮが新規に設定される場合のノイズ限界量は、ノイズ量限界（最終値）からＶＮ×ｑを減じた量となる。
【００４３】
なお、以上においては、各スパンにおけるｑの値は同じであることを仮定したが、スパンの距離に応じて、ｑの値は変化するようにしてもよい。この場合、波長パスＮが新規に設定される場合のノイズ限界量は、ノイズ量限界（最終値）から、ＶＮ、Ａ→Ｂ、ＶＮ、Ｂ→ＤおよびＶＮ、Ｄ→Ｅに各スパンのｑの値を乗じてから総和を計算した値を減じた値となる。
【００４４】
図２に戻ると、監視波長パス選出部２３４は、波長パスＮの設定により、影響が及ぶ可能性がある既設の波長パスを監視対象波長パス（「監視波長パス」と呼称する場合がある）として選出する（選ぶ）。別言すれば、波長パスＮの設定の前後においてＶＭの値が変化する波長パスＭを監視対象波長パスとして選出する。
【００４５】
図３〜図６を参照すると、波長パスＮを設定すると影響が及ぶ可能性があるのは、実線４０１の波長パス（波長パス１）と、一点鎖線４０２の波長パス（波長パス２）と、一点鎖線４０３の波長パス（波長パス３）の３つである。そこで、図３〜図６の例では、監視波長パス選出部２３４は、実線４０１の波長パス１と、一点鎖線４０２の波長パス２と、一点鎖線４０３の波長パス３とを監視対象波長パスとして選出する。
【００４６】
監視波長パスノイズ限界算出部２３５は、監視波長パス選出部２３４が選出した監視対象波長パスのノイズ限界量を算出する。監視波長パスノイズ限界算出部２３５は、波長パスＮを設定した直後に許容されるノイズ量を算出する。別言すれば、波長パスＮを設定した後に、さらに別の波長パスを新規に設定しても監視波長パスのノイズがノイズ量限界（最終値）を超えないノイズ量を算出する。
【００４７】
監視波長パスノイズ限界算出部２３５の算出するノイズ限界量は、通信品質の下限値を表わす。したがって、監視波長パスノイズ限界算出部２３５を、監視波長パス下限値算出部と呼称する場合がある。
【００４８】
図３〜図６を参照すると、点線６０１の波長パスＮを設定した後には、識別情報が２の光信号の中心波長を有する波長パスが、Ａ、Ｂ、ＤおよびＥ間のそれぞれに設定される可能性がある。この場合、波長パス１（実線４０１）が３スパンに亘って影響を受けることになる。したがって、波長パス１のノイズ限界量は、ノイズ量限界（最終値）から３×ｑを減じた値となる必要がある。
【００４９】
同様に、点線６０１の波長パスＮを設定した後には、識別情報が６の光信号の中心波長を有する波長パスが、ＡとＢとのスパンに設定されると、波長パス２（一点鎖線４０２）が影響を受ける。このため、波長パス２のノイズ限界量は、ノイズ量限界（最終値）からｑを減じた値となる必要がある。
【００５０】
さらに、ＢとＣとのスパンにおいて、識別番号が４および６の光信号の中心波長を有する波長パスが設定されると、波長パス２が影響を受ける。したがって、一点鎖線４０２の波長のノイズ限界量は、さらに２×ｑを減じた値となる必要がある。
【００５１】
結論として、点線６０１の波長パスＮを設定した後には、波長パス２のノイズ限界量は、ノイズ量限界（最終値）から３×ｑを減じた値となる必要がある。
【００５２】
同様に、点線６０１の波長パスＮを設定した後には、識別情報が６の光信号の中心波長を有する波長パスが、ＤとＥとのスパンに設定されると、波長パス３（一点鎖線４０３）が影響を受ける。このため、波長パス３のノイズ限界量は、ノイズ量限界（最終値）からｑを減じた値となる必要がある。
【００５３】
以上のノイズ限界量についてまとめると、点線６０１の波長パスＮを設定した後には、波長パスＮについては、ノイズ量限界（最終値）からｑを減じた値となる必要がある。実線４０１の波長パス１については、ノイズ量限界（最終値）から３×ｑを減じた値となる必要がある。一点鎖線４０２の波長パス２については、ノイズ量限界（最終値）から３×ｑを減じた値となっている必要がある。一点鎖線４０３の波長パス３については、ノイズ量限界（最終値）からｑを減じた値となっている必要がある。
【００５４】
別言すれば、監視波長パスをＭとすると、Ｍのノイズは、ノイズ量限界（最終値）からＶＭ×ｑを減じた値となる。
【００５５】
図７は、各波長パスのノイズ限界量をグラフ上に示す図である。新規波長パスＮについては、ノイズ量限界（最終限界）からｑを減じた値以下となることが示されている。また、実線４０１の波長パス（波長パス１）については、ノイズ量限界（最終限界）から３×ｑを減じた値となることを示す。また、一点鎖線４０２の波長パス（波長パス２）については、ノイズ量限界（最終限界）から３×ｑを減じた値となることを示す。また、一点鎖線４０３の波長パス（波長パス３）については、ノイズ量限界（最終限界）からｑを減じた値となることを示す。
【００５６】
再度図２に戻ると、波長パス追加部２３６は、新規波長パス受付部２３２に受け付けられた情報に基づき波長パスＮを追加し設定する。波長パスＮの設定の際には、波長パス追加部２３６は、目標パワーを設定し、経路上の全ての光伝送中継装置について出力可能な最小の値から１ステップずつパスパワーを大きくして新規波長パスＮのパスパワーを目標パワーにすることができる。目標パワーは、新規波長パス受付部２３２が、新規に設定する波長パスの情報を受け付けるときに同時に受け付けてもよい。また、新規に設定する波長パスのスパン数に応じて決められるようになっていてもよい。この場合、スパン数が多いほど、目標パスパワーを大きくしてもよい。また、光伝送システム１００の設計時にスパン毎に目標パワーが決められている場合には、当該決められた値を用いてもよい。
【００５７】
波長パス追加部２３６は、パスパワーを１ステップ上昇させるたびに、監視対象波長パスのノイズ量が、ノイズ限界量を超えていないかどうかを確認することができる。また、付加的に、波長パス追加部２３６は、パスパワーを１ステップ上昇させるたびに、波長パスＮのノイズ量が、ノイズ限界量を超えていないかどうかを確認してもよい。以下においては、波長パス追加部２３６は、監視対象波長パスのノイズ量と波長パスＮのノイズ量とを確認することを想定して説明する。
【００５８】
波長パス追加部２３６は、波長パスＮを設定する際には、Ｃ（１０３）およびＥ（１０５）が受信する新規波長パスＮおよび監視対象波長パスの光信号のノイズ量が、ノイズ限界量を超えていないかどうかを確認することができる。もし、波長パス追加部２３６は、ノイズ限界量を超えていることが確認されれば、新規波長パスＮの設定を中断することができる。中断後には、例えば、目標パワーを下げたり、別の波長を選択したりして新規波長パスの設定を行なうことができる。
【００５９】
図８（Ａ）は、新規に波長パスＮを設定する際の制御装置１１０の処理のフローチャートを示す。ステップＳ８０１の処理において、新規波長パス受付部２３２により、新規に設定する波長パス（新規波長パス）の情報を受付ける。ステップＳ８０２の処理において、監視波長パス選出部２３４が、受付けた情報に基づいて、監視対象波長パスを選出する。ステップＳ８０３の処理として、新規波長パスノイズ限界算出部２３３が、新規波長パスのノイズ限界量を算出する。ステップＳ８０４の処理として、監視波長パスノイズ限界算出部２３５が、監視対象波長パスのノイズ限界量を算出する。ステップＳ８０５の処理として、波長パス追加部２３６が、波長パスＮのパスパワーを上昇させる。波長パスＮのパワーを上昇させながら、監視対象波長パスのノイズ量が、ノイズ限界量を超えていないかどうかを確認する。また、波長パスＮのノイズ量が、ノイズ限界量を超えていないかどうかを確認してもよい。
【００６０】
なお、波長パスＮを設定する際の制御装置１１０の処理の各ステップは、図８（Ａ）に示す順序に限定されることはない。例えば、ステップＳ８０３の処理は、ステップＳ８０１の処理の実行の後であり、ステップＳ８０５の実行の前であればいつでも行なうことができる。同様に、ステップ８０４の処理は、ステップＳ８０２の処理の実行の後であり、ステップＳ８０５の実行の前であればいつでも行なうことができる。
【００６１】
図８（Ｂ）は、波長パス追加部２３６が、波長パスＮのパスパワーを上昇させる処理のフローチャートである。ステップＳ８１１の処理において、変数Ｐｏに最小のパスパワーの値を代入する。最小のパスパワーは、光伝送中継装置が送信可能なパスパワーのうち最小の値である。なお、最小のパスパワーにおいて光信号の伝送が可能である必要はない。ステップＳ８１２の処理において、波長パス追加部２３６は、波長パスＮの経路上の各送信側のノードに、波長パスＮのパスパワーを変数「Ｐｏ」の値に設定する。ステップＳ８１３において、波長パスＮおよび監視対象波長パスのそれぞれのノイズ量を測定し、ノイズ限界量以下であるかどうかを判断する。もし、ノイズ限界量以下でなければ、次の処理は、ステップＳ８１５の処理となり、波長パスＮの設定の処理を中止する。
【００６２】
ステップＳ８１３において、波長パスＮおよび監視対象波長パスのそれぞれのノイズ量を測定し、ノイズ限界量以下であれば、次の処理は、ステップＳ８１４となる。ステップＳ８１４の処理においては、変数Ｐｏの値が、目標パワー以上かどうかを判断する。もし、変数Ｐｏの値が目標パワーと等しい場合には、波長パス追加部２３６は処理を終了する。
【００６３】
ステップＳ８１４において、変数Ｐｏの値が、目標パワーになっていない場合には、次の処理は、ステップＳ８１６の処理となる。ステップＳ８１６の処理において、変数Ｐｏの値をΔの値により増加させ、ステップＳ８１２に戻る。
【００６４】
なお、ステップＳ８１３においては、波長パスＮおよび監視対象波長パスのそれぞれのノイズ量を測定し、測定したノイズ量がノイズ限界量以下であることを確認する。しかし、波長パスＮのパスパワーが所定の値（例えば、光伝送が可能となるパスパワー（最小許容パスパワー））に達するまでは、波長パスＮのノイズ量の測定と、当該測定したノイズ量がノイズ限界量以下であるかどうかの確認と、を省略してもよい。この理由は、波長パスＮのパスパワーが小さく、光伝送が可能となるパスパワー未満であれば、ノイズが多く検出される場合がほぼ通常である。このため、波長パスＮが原因でステップＳ８１４からＮＯに分岐してしまって波長パスＮが設定できなくなってしまう可能性がある。
【００６５】
そこで、図９に示すように、波長パスＮのパスパワーが、光伝送が可能となる最小許容パスパワー（図９の場合は、−３ｄＢ／ｃｈ）未満の間は、波長パスＮについては、ノイズ量の測定を省略してもよい。したがって、ノイズ量がノイズ限界量以下であるかどうかの確認を省略してもよい。図９において、「新規波長パス」の列の「Ｎ／Ａ」が、波長パスＮについて、ノイズ量の測定と確認とを省略したことを示す。そして、波長パスＮのパスパワーが、光伝送が可能となる最小許容パスパワー以上となっている場合に、波長パスＮについてのノイズ量の測定を行ない、測定したノイズ量がノイズ限界量以下であることを確認する。図９において、「新規波長パス」の列の「ＯＫ」は、波長パスＮのパスパワーが−３ｄＢ／ｃｈとなるときにおいて、波長パスＮのノイズ量を測定し、測定したノイズ量がノイズ限界量以下であったことを示す。
【００６６】
このように、波長パスＮのパスパワーが所定の値未満である間、波長パスＮのノイズ量の測定を省略することにより、波長パスＮの設定の失敗の可能性を低減させることができ、また、ノイズ測定などに要する手間を削減することができる。
【００６７】
また、図８（Ｂ）において、Δの値は定数でなく可変な値であってもよい。これは、既設の波長パスについて、波長パスＮのパスパワーについての異なる少なくとも２つの値についてのノイズ量が測定されれば、ノイズ量の外挿（補間）により、波長パスＮのパスパワーを大きくしたときのノイズ量が予測できるためである。
【００６８】
具体的には、図１０の測定点△、□および○に示すように、新規波長パスのパスパワーが−１０ｄＢ／ｃｈと−７ｄＢ／ｃｈとなる場合の波長パス１〜３のノイズ量が測定されたとする。２つの場合において外挿を行なって得られる例えば直線１００１、１００２および１００３により、さらに波長パスＮのパスパワーを上げた場合のノイズ量を予測することができる。
【００６９】
図１１は、このようなノイズ量の予測が行なわれる場合の制御装置１１０の機能ブロック図である。制御装置は、図２と同様に、波長パスデータベース２３１と、新規波長パス受付部２３２と、新規波長パスノイズ限界算出部２３３と、監視波長パス選出部２３４と、監視波長パスノイズ限界算出部２３５と、波長パス追加部２３６とを有する。波長パス追加部２３６は、予測部１１０１を有する。
【００７０】
予測部１１０１は、既設波長パスについて、少なくとも２つの新規波長パスパワーに対するノイズ量が測定された場合に、新規波長パスパワーをさらに上昇させたときのノイズ量を予測する。予測は、例えば、少なくとも２つの新規波長パスパワーに対するノイズ量を外挿（補間）して行なう。
【００７１】
図１０に示すように直線１００１が波長パス１のノイズ限界量となるときのパスパワーがＰo1として求められる。同様に、直線１００２が波長パス２のノイズ限界量となるときのパスパワーがＰo2として求められ、直線１００３が波長パス３のノイズ限界量となるときのパスパワーがＰo3として求められる。このとき、ＰＯ２＜ＰＯ１＜ＰＯ３となっていれば、波長パス２が最も小さいパスパワーによりノイズ限界量に達する。
【００７２】
そこで、波長パスＮのパスパワーを−７ｄＢ／ｃｈにして波長パス１〜３のノイズ量がノイズ量限界以下であることを確認した場合、ステップＳ８１６において、Ｐｏを−７とＰＯ２との間の値に設定してもよい。具体的には、ステップＳ８１６において
Δ  ＝  （−７＋ＰＯ２）／２−（−７）
とし、Ｐｏを
Ｐｏ  ＝  （−７＋ＰＯ２）／２
に設定してもよい。
【００７３】
図１２は、ステップＳ８１６において、このように既にノイズ量が測定された新規波長パスのパスパワーと、予測部１１０１による予測に基づいて、新規波長パスのパスパワーの増加値Δを算出する場合の制御装置１１０の機能ブロック図である。制御装置は、図２と同様に、波長パスデータベース２３１と、新規波長パス受付部２３２と、新規波長パスノイズ限界算出部２３３と、監視波長パス選出部２３４と、監視波長パスノイズ限界算出部２３５と、波長パス追加部２３６とを有する。波長パス追加部２３６は、予測部１１０１を有し、さらに、パワー増加値算出部１２０１を有する。
【００７４】
パワー増加値算出部１２０１は、既にノイズ量が測定された新規波長パスのパスパワーと、予測部１１０１による予測に基づいて、新規波長パスのパスパワーの増加値を算出する。
【００７５】
このように波長パスＮのパスパワーを上昇させることにより、より早く波長パスＮを設定することができる。
【００７６】
以上のように、本実施形態においては、新規に波長パスを設定する場合、波長パスの設定により影響が及ぶ可能性のある監視対象波長パスを選出し、監視対象波長パスのノイズ限界量を算出する。これにより、新規に波長パスを設定しようとする際に、既設の波長パスの光伝送が不可能となることを防止することができる。また、新規に設定する波長パスのパスパワーを１ステップずつ上昇させることにより、既設の波長パスの光伝送が突然不可能になることを防止することができる。
【００７７】
（実施形態２）
実施形態１においては、新規に設定する波長パスの経路上の全ての送信側のノードのパスパワーを上昇させる。これにより、パスパワーは各スパンにおいて等しくすることができる。一方、スパン毎に伝送特性が異なっていたり、波長パスの使用率が異なっていたりするなどの場合には、パスパワーはスパン毎に異なっていることが望ましい。
【００７８】
そこで、実施形態２として、新規に設定する波長パスの経路を複数のセグメントに分けて目標パワーを設定してパスパワーを上昇させる形態について説明する。ここにセグメントとは、経路のサブ経路をいう。例えば、波長パスの使用率が高いサブ経路（混雑しているサブ経路）においては、サブ経路のスパン毎に波長パスを設定し、混雑していないサブ経路においては、サブ経路の複数のスパンに亘る１つの波長パスを設定する。
【００７９】
図１３は、実施形態２に係る光伝送システム１００の制御装置１１０の機能ブロック図である。実施形態２に係る光伝送システム１００の制御装置１１０は、図２に示す実施形態２に係る光伝送システムの制御装置１１０の新規波長パス受付部２３２が追加順序受付部１３０１をさらに有している。
【００８０】
追加順序受付部１３０１は、新規に設定する波長パスの経路の複数のセグメントを受付ける。新規に設定する波長パスの経路が、例えば「Ａ、Ｂ、Ｄ、Ｅ」である場合、追加順序受付部１３０１は、セグメント「Ａ、Ｂ、Ｄ」および「Ｄ、Ｅ」を受付けることができる。この場合、制御装置１１０は、「Ａ、Ｂ、Ｄ」に波長パス（以後、波長パスＮ１という）を設定した後に、「Ｄ、Ｅ」に波長パス（以後、波長パスＮ２という）を設定する。
【００８１】
図１４は、本実施形態において、新規に設定する波長パスの情報が追加順序とともに新規波長パス受付部２３２により受け付けられ、ディスプレイに表示された状態の一例を示す。実施形態１との違いは、本実施形態においては、波長パス追加順序が表示されている点である。
【００８２】
図１４の場合には、「Ａ、Ｂ、Ｄ」および「Ｄ、Ｅ」となっている。上述したように、制御装置１１０は、２回に分けて波長パスの追加を行ない、まず、Ａ、ＢおよびＤに波長４の波長パスＮ１を設定し、次に、ＤおよびＥに波長４の波長パスＮ２を設定することができる。
【００８３】
別言すれば、まず、Ａ、ＢおよびＤのセグメントに波長パスＮ１を新規に設定するために、新規に設定する波長パスのノイズ限界量を求める。ノイズ限界量は、ＶＮ１＋ＳＲｅｓｔに基づいて算出され、ノイズ量限界（最終値）から、ＶＮ１＋ＳＲｅｓｔにｑを乗じた値を引いた値となる。ここにＳＲｅｓｔは、未設定のセグメントＲｅｓｔの波長パスに、波長パスＮ２を設定することにより波長パスＮ２の通信品質の低下をもたらすことになる波長パスの数をスパン毎に求め、当該数の総和を求めた数である。通常は、ＳＮ２はＮ２のスパン数の２倍となるが、光信号の中心波長が、各スパンにおける最小の波長または最大の波長であれば、スパン数となる。したがって、波長パスＮ１のノイズ限界量は、ＶＮ１＋ＳＮ２に基づいて算出される。
【００８４】
ＶＮ１にＳＲｅｓｔを加える理由は、Ｎ１を設定した後にＲｅｓｔに波長パスを設定するので、Ｒｅｓｔに波長パスを設定する際に他の波長パスから受ける影響を前もって加える必要があるからである。
【００８５】
波長パスＮ１は、Ａ、ＢおよびＤのセグメントに設定されるので、Ｒｅｓｔは、ＤおよびＥのセグメントとなる。したがって、ＶＮ１＝ＶＮ１、Ａ→Ｂ＋ＶＮ１、Ｂ→Ｄ＝０＋１となり、ＳＲｅｓｔ＝２×１＝２となるので、波長パスＮ１のノイズ限界量は、ノイズ限界量（最終限界）から３×ｑを減じた値となる。
【００８６】
監視対象波長パスは、波長パス１および波長パス２となる。Ｖ波長パス１＝４となり、Ｖ波長パス２＝３となる。波長パス１について、実施形態１の場合よりも１大きくなるのは、波長パスＮ１を設定しても、ＤおよびＥのスパンに波長パスＮ２が未設定であるからである。
【００８７】
以上をまとめると、波長パスＮ１のノイズ限界量は、ノイズ量限界（最終値）から３×ｑを減じた値となり、波長パス１のノイズ限界量は、ノイズ量限界（最終値）から４×ｑを減じた値となる。また、波長パス２のノイズ限界量は、ノイズ量限界（最終値）から３×ｑを減じた値となる。
【００８８】
図１５は、各波長パスのノイズ限界量をグラフ上に示す図である。波長パスＮ１については、ノイズ限界量は、ノイズ量限界（最終限界）から３×ｑを減じた値となることが示されている。また、波長パス１については、ノイズ限界量は、ノイズ量限界（最終限界）から４×ｑを減じた値となることを示す。また、波長パス２については、ノイズ限界量は、ノイズ量限界（最終限界）から３×ｑを減じた値となることを示す。
【００８９】
波長パスＮ１の設定が終了すると、制御装置１１０は、波長パスＮ２の設定を行なう。ノイズ限界量は、上記と同様の演算により、次のようになる。波長パスＮ２の設定を行なう場合には、未設定のセグメントＲｅｓｔは存在しないので、ノイズ限界量は、ＶＮ１にｑを乗じた値をノイズ量限界（最終値）から減じた値となる。また、監視対象波長パスは、波長パス１および波長パス３となり、それぞれのノイズ限界量は、ノイズ量限界（最終限界）から３×ｑ、ｑを減じた値となる。
【００９０】
図１６は、各波長パスのノイズ限界量をグラフ上に示す図である。波長パスＮ２については、ノイズ限界量は、ノイズ量限界（最終値）と等しくなることを示す。波長パス１については、ノイズ限界量は、ノイズ量限界（最終限界）から３×ｑを減じた値となることを示す。また、波長パス３については、ノイズ限界量は、ノイズ量限界（最終限界）からｑを減じた値となることを示す。
【００９１】
図１５と図１６とを比較すると、新規に設定する波長パスの経路を複数のセグメントに分ける場合には、セグメントへの波長パスの設定の度に、波長パスのノイズ限界量が同じとはならない。したがって、目標パワーもそれぞれのセグメントに応じて異なるようにするのが好ましいことになる。
【００９２】
（実施形態３）
図１７は、制御装置１１０を別の側面から捉えた場合の機能ブロック図である。制御装置は、入力部１６０１と、記憶部１６０２と、演算部１６０３と、出力部１６０４とを有する。
【００９３】
入力部１６０１には、新規に設定する波長パスの情報が入力され、また、各ノードに設置された受信器から取得する伝送特性（ノイズ量）の情報が入力される。したがって、入力部１６０１は、図２に示す新規波長パス受付部２３２の機能を含む。
【００９４】
記憶部１６０２は、物理ネットワーク情報、光回線配置状況、ノイズ量限界値（最終限界）、現在設定中の新規波長パスの状況、現在の各波長パスのパスパワーの設定状況を記憶する。したがって、記憶部１６０２は、波長パスデータベース２３１の機能を含む。また、波長パスの設定の途中には、記憶部１６０２は、図９に示すテーブルに相当する情報を記憶する。
【００９５】
演算部１６０３は、監視波長パス決定部１６１１と、新規波長パスのパスパワー増分ステップ計算部１６１２と、伝送特性取得受信機決定部１６１３と、追加パターン決定部１６１４と、新規波長パスの追加可不可決定部１６１５とを有する。
【００９６】
監視波長パス決定部１６１１は、監視波長パス選出部２３４に対応し、新規波長パスの情報が入力されると、監視対象波長パスを決定する。
【００９７】
新規波長パスのパスパワー増分ステップ計算部１６１２は、パワー増加値算出部１２０１に相当し、図８（Ｂ）のフローチャートのステップＳ８１６のΔの値を決定する。
【００９８】
伝送特性取得受信機決定部１６１３は、ステップＳ８１４において、ノイズ限界量以下であることを確認するために、ノイズ量を取得する受信機を選択する部である。
【００９９】
追加パターン決定部１６１４は、新規波長パスを設定する場合に、新規波長パスを複数のセグメントに分けて設定するかどうかを決定する部である。実施形態２においては、新規波長パスの情報を入力する際に波長パス追加順序を指定することにより、新規波長パスをセグメントに分けて設定するかどうかを指定することができた。一方、本実施形態では、波長パス追加順序を指定しなくても、制御装置１１０がノードの接続のトポロジーや波長パスの設定の数に基づいてサブ経路が混雑しているかどうかを判断し、波長パス追加順序を決定する。追加パターン決定部１６１４が、波長パス追加順序を指定して波長パスを設定すると決定した場合には、波長パス追加部２３６は、実施形態２の動作を行なうように制御を行なう。
【０１００】
サブ経路が混雑しているかどうかは、定数Ｍを定めておき、サブ経路に設定されている波長パスの数がＭ以上であるかどうかにより判断することができる。別言すれば、サブ経路に設定されている波長パスの数がＭ以上であれば、サブ経路は混雑しており、サブ経路に設定されている波長パスの数がＭ未満であれば、サブ経路は混雑していないと判断することができる。
【０１０１】
新規波長パスの追加可不可決定部１６１５は、図８（Ｂ）のフローチャートのステップＳ８１３の判断を行なう部である。
【０１０２】
したがって、新規波長パスのパスパワー増分ステップ計算部１６１２と、伝送特性取得受信機決定部１６１３と、追加パターン決定部１６１４と、新規波長パスの追加可不可決定部１６１５は、波長パス追加部２３６の機能に含まれる。
【０１０３】
（応用例）
以上説明した制御装置１１０を有する光伝送システム１００により、例えば、光経路のデフラグメンテーションの処理を行なうことができる。
【０１０４】
図１８（Ａ）は、ノード１７０１および１７０２間で波長パスの追加および削除を繰り返した結果として、波長パスＣ１と波長パスＣ２の間に、未使用の波長帯域が存在していることを示す図である。また、波長パスＣ１に隣接して波長パスＣ２が存在している。
【０１０５】
そこで、以上説明した制御装置１１０を有する光伝送システム１００により、波長帯域を有効に利用するために、波長パスＣ１と波長パスＣ２の間の波長帯域に、波長パスＣ２の波長帯域を移動させ、図１８（Ｂ）に示すようにすることができる。
【０１０６】
この場合、波長パスＣ２を波長パスＣ１とＣ３との間に移動して設定しようとする際、１ステップずつパスパワーを上昇させることにより、例えば、クロストークにより、波長パスＣ１またはＣ３の伝送マージンが一定以下になることを検出することができる。この場合の検出は波長パスＣ１およびＣ３の伝送不可とせずに検出することができる。また、設定後のＣ２の伝送マージンが十分に得られない場合も、同様に検出することが可能である。
【０１０７】
図１９は、波長でフラグメンテーションについて、さらに一般化した一例を示す図である。図１９（Ａ）に示すように、波長パスＡが波長１および２を使用してノード１８０５および１８０６に設定されており、波長パスＢが波長２を使用して、ノード１８０１〜１８０４に設定されている。また、波長パスＣが波長３を使用してノード１８０３〜１８０５に設定されているとする。また、符号１８１１〜１８１４には、波長パスが設定されていないとする。
【０１０８】
このような状況は、例えばＳＤＮ（Ｓｏｆｔｗａｒｅ  Ｄｅｆｉｎｅｄ  Ｎｅｔｗｏｒｋ）の導入によって、光ネットワークの波長パスを動的に設定／解除することを繰り返すことにより発生し得る。
【０１０９】
図１９（Ａ）の場合、新たに、ノード１８０１〜１８０６間に波長パスを設定することができない。
【０１１０】
しかし、波長デフラグメンテーションを行なうことにより、図１９（Ｂ）に示すように、符号１８２１〜１８２３に示すように波長パスが設定されてない部分が発生する。例えば、ノード１８０１〜１８０６に符号１８２３に示すように波長３を用いた波長パスを設定することができ、波長空間を有効に利用することが可能となる。
【０１１１】
以上のように、開示によれば、ネットワーク内の他の波長パスへの伝送特性の影響を適切に考慮し、波長パスを新規に設定することができる。
【０１１２】
以上の実施形態それぞれに関し、以下の付記を開示する。
【０１１３】
（付記１）
第１伝送装置と第２伝送装置を制御する制御装置において、
前記第１伝送装置と前記第２伝送装置との間に新規波長パスを設定する際に、前記第１伝送装置と前記第２伝送装置との間の少なくとも一部の伝送路を通過する既設波長パスの中から、監視波長パスを選ぶ監視波長パス選出部と、
前記監視波長パスの信号品質に応じて、前記新規波長パスのパワーを上昇させる波長パス追加部と、
を備える、制御装置。
【０１１４】
（付記２）
前記波長パス追加部は、前記新規波長パスが複数のスパンに亘るとき、前記複数のスパンのそれぞれのスパンごとに、前記監視波長パスの信号品質を監視しながら、前記新規波長パスのパワーを上昇させる、付記１に記載の制御装置。
【０１１５】
（付記３）
前記監視波長パスの信号品質の下限値を算出する監視波長パス下限値算出部を備え、
前記波長パス追加部は、前記監視波長パスの信号品質が、前記監視波長パス下限値算出部により算出された下限値以上であることを監視しながら、前記新規波長パスのパワーを上昇させる、付記１または付記２に記載の制御装置。
【０１１６】
（付記４）
前記波長パス追加部は、前記監視波長パスの信号品質が前記監視波長パス下限値算出部により算出された下限値未満となる場合に、前記新規波長パスの設定を中止する、付記３に記載の制御装置。
【０１１７】
（付記５）
前記波長パス追加部は、前記新規波長パスの複数のパワー値に対する前記監視波長パスの複数の信号品質を補間し、前記新規波長パスのパワーをさらに上昇させたときの前記監視波長パスの信号品質を予測する予測部を有する、付記３または付記４に記載の制御装置。
【０１１８】
（付記６）
前記波長パス追加部は、前記予測部の予測に基づいて、前記新規波長パスのパワーの増加値を算出するパワー増加値算出部を有する、付記５に記載の制御装置。
【０１１９】
（付記７）
前記監視波長パス下限値算出部は、前記新規波長パスの設定が完了した後に、別の波長パスが設定されることによる信号品質の低下量に基づいて、前記監視波長パスの信号品質の下限値を算出する、付記３から付記６のいずれか１項に記載の制御装置。
【０１２０】
（付記８）
前記監視波長パス選出部が選ぶ前記監視波長パスは、前記新規波長パスと波長が隣接する、付記１から付記７のいずれか１項に記載の制御装置。
【０１２１】
（付記９）
前記監視波長パス選出部が選ぶ前記監視波長パスは、前記新規波長パスから非線形効果により信号品質に影響が及ぶ、付記１から付記７のいずれか１項に記載の制御装置。
【０１２２】
（付記１０）
第１伝送装置と第２伝送装置とを制御する制御装置を備える光伝送システムであり、
前記制御装置は、
前記第１伝送装置と前記第２伝送装置との間に新規波長パスを設定する際に、前記第１伝送装置と前記第２伝送装置との間の少なくとも一部の伝送路を通過する既設波長パスの中から、監視波長パスを選ぶ監視波長パス選出部と、
前記監視波長パスの信号品質に応じて、前記新規波長パスのパワーを上昇させる波長パス追加部と、
を備える、光伝送システム。
【０１２３】
（付記１１）
前記波長パス追加部は、前記新規波長パスが複数のスパンに亘るとき、前記複数のスパンのそれぞれのスパンごとに、前記監視波長パスの信号品質を監視しながら、前記新規波長パスのパワーを上昇させる、付記１０に記載の光伝送システム。
【０１２４】
（付記１２）
前記監視波長パスの信号品質の下限値を算出する監視波長パス下限値算出部と、
を備え、
前記波長パス追加部は、前記監視波長パスの信号品質が、前記監視波長パス下限値算出部のそれぞれにより算出された下限値以上であることを監視しながら、前記新規波長パスのパワーを上昇させる、付記１０または付記１１に記載の光伝送システム。
【０１２５】
（付記１３）
前記波長パス追加部は、前記監視波長パスの信号品質が前記監視波長パス下限値算出部により算出された下限値未満となる場合に、前記新規波長パスの設定を中止する、付記１２に記載の光伝送システム。
【０１２６】
（付記１４）
前記波長パス追加部は、前記新規波長パスの複数のパワー値に対する前記監視波長パスの複数の信号品質を補間し、前記新規波長パスのパワーをさらに上昇させたときの前記監視波長パスの信号品質を予測する予測部を有する、付記１２または付記１３に記載の光伝送システム。
【０１２７】
（付記１５）
前記波長パス追加部は、前記予測部の予測に基づいて、前記新規波長パスのパワーの増加値を算出するパワー増加値算出部を有する、付記１４に記載の光伝送システム。
【０１２８】
（付記１６）
前記監視波長パス下限値算出部は、前記新規波長パスの設定が完了した後に、別の波長パスが設定されることによる信号品質の低下量に基づいて、前記監視波長パスの信号品質の下限値を算出する付記１２から付記１５のいずれか１項に記載の光伝送システム。
【０１２９】
（付記１７）
前記監視波長パス選出部が選ぶ前記監視波長パスは、前記新規波長パスと波長が隣接する、付記１０から付記１６のいずれか１項に記載の光伝送システム。
【０１３０】
（付記１８）
前記監視波長パス選出部が選ぶ前記監視波長パスは、前記新規波長パスから非線形効果により信号品質に影響が及ぶ、付記１０から付記１６のいずれか１項に記載の光伝送システム。
【０１３１】
（付記１９）
第１伝送装置と第２伝送装置との間に新規波長パスを設定する際に、前記第１伝送装置と前記第２伝送装置との間の少なくとも一部の伝送路を通過する既設波長パスの中から、監視波長パスを選び、
前記監視波長パスの信号品質を監視しながら、前記新規波長パスのパワーを上昇させる、
光伝送システムの制御方法。
【０１３２】
（付記２０）
前記新規波長パスが複数のスパンに亘るとき、前記複数のスパンのそれぞれのスパンごとに、前記監視波長パスの信号品質を監視しながら、前記新規波長パスのパワーを上昇させる、付記１９に記載の光伝送システムの制御方法。
【０１３３】
（付記２１）
前記監視波長パスの信号品質の下限値を算出し、
前記監視波長パスの信号品質が、前記算出された下限値以上であることを監視しながら、前記新規波長パスのパワーを上昇させる、付記１９または付記２０に記載の光伝送システムの制御方法。
【０１３４】
（付記２２）
前記監視波長パスの信号品質が前記算出された下限値未満となる場合に、前記新規波長パスの設定を中止する、付記２１に記載の光伝送システムの制御方法。
【０１３５】
（付記２３）
前記新規波長パスの複数のパワー値に対する前記監視波長パスの複数の信号品質を補間し、前記新規波長パスのパスパワーをさらに上昇させたときの前記監視波長パスの信号品質を予測する、付記２１または付記２２に記載の光伝送システムの制御方法。
【０１３６】
（付記２４）
前記予測に基づいて、前記新規波長パスのパスパワーの増加値を算出する、付記２３に記載の光伝送システムの制御方法。
【０１３７】
（付記２５）
前記新規波長パスの設定が完了した後に、別の波長パスが設定されることによる信号品質の低下量に基づいて、前記監視波長パスの信号品質の下限値を算出する、付記２１から付記２４のいずれか１項に記載の光伝送システムの制御方法。
【０１３８】
（付記２６）
前記監視波長パスは、前記新規波長パスと波長が隣接する、付記１９から付記２５のいずれか１項に記載の光伝送システムの制御方法。
【０１３９】
（付記２７）
前記監視波長パスは、前記新規波長パスから非線形効果により信号品質に影響が及ぶ、付記１９から付記２５のいずれか１項に記載の光伝送システムの制御方法。
【符号の説明】
【０１４０】
１００  光伝送システム
１０１〜１０５  ノード
２０１、２０７、２１３、２２１、２２７  ＷＳＳ
２０２、２０９、２１０、２１５  ポストアンプ
２０３、マルチプレクサ
２０４〜２０６、２１２、２１７〜２２０、２２４〜２２６、２３０、２３１  トランスポンダ
２０８、２１４、２２２、２２８  プリアンプ
２１１、２１６  マルチプレクサ／デマルチプレクサ
２２３、２２９  デマルチプレクサ
２３１  波長パスデータベース
２３２  新規波長パス受付部
２３３  新規波長パスノイズ限界算出部
２３４  監視波長パス選出部
２３５  監視波長パスノイズ限界算出部
２３６  波長パス追加部
４０１〜４０３、６０１  波長パス
１１０１  予測部
１２０１  パワー増加値算出部
１６０１  入力部
１６０２  記憶部
１６０３  演算部
１６０４  出力部
１６１１  監視波長パス決定部
１６１２  新規波長パスのパワー増分ステップ計算部
１６１３  伝送特性取得受信機決定部
１６１４  追加パターン決定部
１６１５  新規波長パスの追加可不可決定部
【図１】
0006711149.tif 000002
【図２】
0006711149.tif 000003
【図３】
0006711149.tif 000004
【図４】
0006711149.tif 000005
【図５】
0006711149.tif 000006
【図６】
0006711149.tif 000007
【図７】
0006711149.tif 000008
【図８】
0006711149.tif 000009
【図９】
0006711149.tif 000010
【図１０】
0006711149.tif 000011
【図１１】
0006711149.tif 000012
【図１２】
0006711149.tif 000013
【図１３】
0006711149.tif 000014
【図１４】
0006711149.tif 000015
【図１５】
0006711149.tif 000016
【図１６】
0006711149.tif 000017
【図１７】
0006711149.tif 000018
【図１８】
0006711149.tif 000019
【図１９】
0006711149.tif 000020